(57)【要約】【課題】放射線を遮蔽する遮蔽壁内に配置された柱の遮蔽壁との縁切りを行う。【解決手段】放射線治療室２０は、放射線Ｓを遮蔽する遮蔽壁５０と、遮蔽壁５０内に形成された縦孔５２の内壁５２Ａに隙間をあけて設けられた柱１００と、を備えている。【選択図】図２
2019113363.tif 000002
【特許請求の範囲】
【請求項１】
放射線を遮蔽する遮蔽壁と、
前記遮蔽壁内に形成された縦孔に、前記縦孔の内壁に隙間をあけて設けられた柱と、
を備えた建物構造。
【請求項２】
平面視において、前記柱の側面は、前記遮蔽壁の壁面に対して傾斜すると共に、前記遮蔽壁に入射する前記放射線に対して交差している、
請求項１に記載の建物構造。
【請求項３】
前記柱の周面と前記縦孔の内壁との隙間は空気層になっている、
請求項１又は請求項２に記載の建物構造。
【請求項４】
縁切部材を、柱の周面に沿って設ける工程と、
前記柱の周面に前記縁切部材を設けた状態で、前記柱の周囲にコンクリートを打設し、遮蔽壁を構築する工程と、
前記縁切部材を引き抜く工程と、
を備えた遮蔽壁の構築方法。
【発明の詳細な説明】
【技術分野】
【０００１】
本発明は、建物構造及び遮蔽壁の構築方法に関する。
【背景技術】
【０００２】
引用文献１には、鉄筋コンクリート造建物における耐震用のスリット材を用いた外壁構造とその施工方法に係り、特にスリット材を水平方向に設置する外壁の施工技術に関する技術が開示されている。この先行技術では、第一のスリット材の上方に、目地部側が傾斜面となっている第二のスリット材をそれに沿って載置している。
【０００３】
引用文献２には、スリット材をコンクリートに打ち込んで耐震スリットを形成する耐震スリットの施工方法およびこのスリット材の支持構造に関する技術が開示されている。この先行技術では、非耐力壁の両側面を覆う一対の型枠を建て込んで、当該一対の型枠間に一端側から他端側に向かうに従って幅が広くなるスリット材を配置する。このスリット材は、当該スリット材の広くなっている側に引き抜くことで取り外している。
【０００４】
引用文献３には、耐震スリット材とその耐震スリット材を非構造壁と構造部との接合部に配置した建築物に関する技術が開示されている。この先行技術では、非構造壁と構造部との間に形成される隙間に発泡樹脂材からなる耐震スリット材を配置することで、縁切りを確保しながら、目地隙間の通気、雨水の漏水を遮断するようにしている。
【先行技術文献】
【特許文献】
【０００５】
【特許文献１】特開２００１−３４９２号公報
【特許文献２】特開２０１４−１４１８１９号公報
【特許文献３】特開２０１２−２０２０７９号公報
【発明の概要】
【発明が解決しようとする課題】
【０００６】
放射線を遮蔽する遮蔽壁は非常に厚く剛性が非常に高いため、建物全体の偏心率や水平力の集中が過大となることがある。よって、遮蔽壁は、周囲の建物躯体と縁切っておくことが望ましいとされている。しかし、遮蔽壁は、壁厚が非常に厚いために、柱が遮蔽壁の中に配置されることがあり、この場合、遮蔽壁と柱との縁切りが難しくなる。
【０００７】
よって、本発明は、上記事実を鑑み、放射線を遮蔽する遮蔽壁内に配置された柱の遮蔽壁との縁切りが目的である。
【課題を解決するための手段】
【０００８】
請求項１の発明は、放射線を遮蔽する遮蔽壁と、前記遮蔽壁内に形成された縦孔に、前記縦孔の内壁に隙間をあけて設けられた柱と、を備えた建物構造である。
【０００９】
請求項１に記載の発明では、放射線を遮蔽する遮蔽壁内に形成された縦孔に柱を設けることで、遮蔽壁と柱との縁を切ることができる。よって、遮蔽壁内に柱が配置された建物全体の偏心率の過大や水平力の集中等が抑制される。
【００１０】
請求項２の発明は、平面視において、前記柱の側面は、前記遮蔽壁の壁面に対して傾斜すると共に、前記遮蔽壁に入射する前記放射線に対して交差している、請求項１に記載の建物構造である。
【００１１】
請求項２に記載の発明では、柱の側面と縦孔との隙間を放射線が通って透過することが防止されるので、放射線の遮蔽効果が向上する。
【００１２】
請求項３の発明は、前記柱の周面と前記縦孔の内壁との隙間は空気層になっている、請求項１又は請求項２に記載の建物構造である。
【００１３】
請求項３に記載の発明では、柱の周面と縦孔との隙間は空気層になっているので、遮蔽壁と柱との縁をより完全に切ることができる。よって、遮蔽壁による建物全体の偏心率の過大や水平力の集中の過大等がより効果的に抑制される
【００１４】
請求項４の発明は、縁切部材を柱の周面に沿って設ける工程と、前記柱の周面に前記縁切部材を設けた状態で、前記柱の周囲にコンクリートを打設し、遮蔽壁を構築する工程と、前記縁切部材を引き抜く工程と、を備えた遮蔽壁の構築方法である。
【００１５】
請求項４に記載の発明では、縁切部材を柱の周面に沿って設けた状態でコンクリートを打設して遮蔽壁を構築したのち、縁切部材を引き抜くことで、遮蔽壁内に縦孔を形成すると共に、この縦孔内に柱を容易に設けることができる。
【発明の効果】
【００１６】
本発明によれば、放射線を遮蔽する遮蔽壁内に配置された柱と遮蔽壁とを縁切りすることができる。
【図面の簡単な説明】
【００１７】
【図１】本発明の一実施形態の放射線治療室の水平断面図である。
【図２】図１の要部の拡大水平断面図である。
【図３】柱の周面に沿って配置された縁切部材の斜視図である。
【図４】縁切部材の分解斜視図である。
【図５】柱の周面に沿って縁切部材を配置した状態で壁を構築した縦断面図である。
【発明を実施するための形態】
【００１８】
＜実施形態＞
本発明に係る一実施形態の建物構造が適用された放射線治療室について説明する。
【００１９】
［構造］
先ず、本実施形態の放射線治療室の構造について説明する。
【００２０】
図１に示す放射線治療室２０は、病院である建物１０内に設けられている。放射線治療室２０は、放射線を遮蔽する鉄筋コンクリート造の遮蔽壁５０で囲まれている。本実施形態の遮蔽壁５０の厚みは、１０００ｍｍ以上である。
【００２１】
放射線治療室２０内には、放射線治療器３０が設置されている。放射線治療器３０から放射位置３２に出射される放射線Ｓの出射部３４は、放射位置３２を中心に平面視で略円形の軌道Ｋで移動する。
【００２２】
図１及び図２に示すように、遮蔽壁５０内には縦孔５２が形成され、この縦孔５２内に鉄筋コンクリート造の柱１００が設けられている。
【００２３】
図２に示すように、柱１００は、平面視矩形状の柱本体１１０と、柱本体１１０における遮蔽壁５０の壁面５０Ａと交差する方向の本体側面１１２に打ち増しされた平面視直角三角形状の打増部１２０と、で構成されている。このように平面視矩形状の柱本体１１０と平面視直角三角形状の打増部１２０とで構成された柱１００は、平面視における全体形状が平行四辺形状になっている。
【００２４】
つまり、柱１００の周面１０２における遮蔽壁５０の壁面５０Ａと交差する方向の側面１０４は、壁面５０Ａに対して傾斜している。また、この柱１００の傾斜した側面１０４は、平面視において、前述の放射線Ｓに対して交差している。
【００２５】
また、柱１００の全周面１０２と遮蔽壁５０内の縦孔５２の内壁５２Ａとは、隙間があいており、この隙間は空気層６０になっている。
【００２６】
［放射線治療室の構築方法］
次に、放射線治療室２０の構築方法の一例について説明する。
【００２７】
図３に示すように、既存の柱本体１１０の本体側面１１２に打増部１２０を打ち増しする（図２も参照）。柱１００の周面１０２に沿って縁切部材２００を設ける。
【００２８】
図３、図４及び図５に示すように、縁切部材２００は、線材の一例としての二本の全ねじボルト２２０を二枚の発泡スチロール等で構成された板状材２１０で挟み、全ねじボルト２２０の上下に板金製の板材２３０、２３２をナット２２２で締結した構造である。上側の板材２３０には、後述するワイヤー２３６（図４参照）を取り付ける取付部２３４が設けられている。
【００２９】
図４に示すように、板状材２１０の一方の板面２１０Ａには、全ねじボルト２２０が入る溝部２１２が形成されている。
【００３０】
そして、前述したように周面１０２に沿って縁切部材２００を設けた柱１００の周囲に、図５に示すように、コンクリートを打設し、遮蔽壁５０を構築したのち、図３に示すように、上側の板材２３０の取付部２３４にワイヤー２３６を取り付けて引き上げ、縁切部材２００を引き抜く。
【００３１】
このような方法により、遮蔽壁５０の縦孔５２内に内壁５２Ａと隙間をあけて柱１００が設けられる。
【００３２】
［作用及び効果］
次に、本実施形態の作用及び効果について説明する。
【００３３】
本実施形態の放射線治療室２０では、放射線Ｓを遮蔽する遮蔽壁５０内に形成された縦孔５２に柱１００を設けることで、遮蔽壁５０と柱１００との縁が切られている。よって、遮蔽壁５０内に柱１００が配置された建物１０全体の偏心率の過大や水平力の集中等が抑制される。
【００３４】
また、柱１００の周面１０２と縦孔５２の内壁５２Ａとは非接触であり、隙間は空気層６０となっている。よって、遮蔽壁５０と柱１００との縁を完全に切ることができる。したがって、遮蔽壁５０による建物１０全体の偏心率の過大や水平力の集中の過大等がより効果的に抑制される
【００３５】
また、縁切部材２００を柱１００の周面１０２に沿って設けた状態でコンクリートを打設して遮蔽壁５０を構築したのち、縁切部材２００を引き抜くことで、遮蔽壁５０内に縦孔５２を形成し、この縦孔５２内に柱１００を容易に設けることができる。
【００３６】
また、柱１００の側面１０４は、遮蔽壁５０の壁面５０Ａに対して傾斜すると共に、放射線Ｓに対して交差している。よって、柱１００の周面１０２と縦孔５２の内壁５２Ａとの隙間（本実施形態では空気層６０）を放射線Ｓが通って透過することが防止されるので、放射線Ｓの遮蔽効果が向上する。
【００３７】
＜その他＞
尚、本発明は上記実施形態に限定されない。
【００３８】
例えば、上記実施形態では、遮蔽壁５０の縦孔５２の内壁５２Ａと柱１００の周面１０２との隙間は、空気層６０となっていたが、これに限定されない。縦孔５２の内壁５２Ａと柱１００の周面１０２との隙間に、発泡スチロール等で構成された板状材２１０等の縁切板材が挟まれていてもよい。
【００３９】
なお、この場合、柱１００の周面１０２に沿って縁切板材（例えば、発泡スチロール等で構成された板状材２１０）を貼り付けて、その状態でコンクリートを打設して遮蔽壁５０を構築し、縁切板材をそのまま遮蔽壁５０に埋めたままにすればよい。
【００４０】
また、上記実施形態では、柱１００の側面１０４は遮蔽壁５０の壁面５０Ａに対して傾斜すると共に、遮蔽壁５０に入射する放射線Ｓに対して交差したが、これに限定されない。柱１００は、矩形状であってもよいし、円形であってもよい。また、柱１００の側面１０４が放射線Ｓに対して平行であってもよい。
【００４１】
また、放射線治療室２０以外の遮蔽壁にも本発明を適用することができる。
【００４２】
更に、本発明の要旨を逸脱しない範囲において種々なる態様で実施し得る。
【符号の説明】
【００４３】
５０      遮蔽壁
５０Ａ    壁面
５２      縦孔
５２Ａ    内壁
６０      空気層
１００      柱
１０４      側面
２００      縁切部材
Ｓ      放射線
【図１】
2019113363.tif 000003
【図２】
2019113363.tif 000004
【図３】
2019113363.tif 000005
【図４】
2019113363.tif 000006
【図５】
2019113363.tif 000007